(57)【要約】【課題】配光バランスが優れた光源を具現する。【解決手段】３種類の発光色を発光するそれぞれのＬＥＤが基板上にｎ行、ｍ列のマトリクス状に配置され、第１の発光色を発光するＬＥＤは、［１＋３（ｈ−１）］列目の［１＋４（ｉ−１）］行目、［２＋３（ｈ−１）］列目の［２ｉ］行目、［３ｈ］列目の［３＋４（ｉ−１）］行目に配置され、残りの２種類の発光色のうちの１つの発光色のＬＥＤは、［１＋３（ｈ−１）］列目の［［３＋４（ｉ−１）］行目、［２＋３（ｈ−１）］列目の［１＋４（ｉ−１）］行目、［３ｈ］列目の［２ｉ］行目に配置され、残りの１つの発光色のＬＥＤは、［１＋３（ｈ−１）］列目の［２ｉ］行目、［２＋３（ｈ−１）］列目の［３＋４（ｉ−１）］行目、［３ｈ］列目の［１＋４（ｉ−１）］行目に配置される。【選択図】図１
2020115440.tif 000002
【特許請求の範囲】
【請求項１】
３種類の発光色を発光するＬＥＤが基板上にｎ行、ｍ列（ｎ、ｍは自然数）のマトリクス状に配置され、
前記３種類の発光色のうちの第１の発光色を発光するＬＥＤは、［１＋３（ｈ−１）］列目の［１＋４（ｉ−１）］行目、［２＋３（ｈ−１）］列目の［２ｉ］行目、［３ｈ］列目の［３＋４（ｉ−１）］行目に配置され、残りの２種類の発光色のうちの１つである第２の発光色を発光するＬＥＤは、［１＋３（ｈ−１）］列目の［［３＋４（ｉ−１）］行目、［２＋３（ｈ−１）］列目の［１＋４（ｉ−１）］行目、［３ｈ］列目の［２ｉ］行目に配置され、残りの１つの発光色である第３の発光色を発光するＬＥＤは、［１＋３（ｈ−１）］列目の［２ｉ］行目、［２＋３（ｈ−１）］列目の［３＋４（ｉ−１）］行目、［３ｈ］列目の［１＋４（ｉ−１）］行目に等間隔に配置され（ｈ、ｉは自然数）、それぞれのＬＥＤは前記基板上に形成されたパターンに接続され、前記第１の発光色を発光するＬＥＤ、前記第２の発光色を発光するＬＥＤ、前記第３の発光色を発光するＬＥＤは、それぞれの駆動回路に接続される、ことを特徴とする光源。
【請求項２】
前記ｎと前記ｍとの積は３の倍数であり、前記第１の発光色を発光するＬＥＤ、前記第２の発光色を発光するＬＥＤ、前記第３の発光色を発光するＬＥＤは同数である、ことを特徴とする請求項１に記載の光源。
【請求項３】
前記３種類の発光色を発光させるＬＥＤのうち少なくとも１種類のＬＥＤを点灯させる、ことを特徴とする請求項１に記載の光源。
【請求項４】
前記３種類の発光色は、赤、緑、青であることを特徴とする請求項１に記載の光源。
【発明の詳細な説明】
【技術分野】
【０００１】
本発明は、照明用の光源に係り、より詳しくは、ＬＥＤの配列による配光バランスの優れた光源に関する。
【背景技術】
【０００２】
ＬＥＤを搭載した基板が照明用に採用されるようになってきている。照明用の白色光を得るためには、一般的に赤色光を発光するＬＥＤ、緑色光を発光するＬＥＤ、青色光を発光するＬＥＤの３種類のＬＥＤをそれぞれ複数個使用し、それらを配列して使用する。
【０００３】
この時、上記３種のＬＥＤの配列は、例えば１ライン目を赤色光を発光するＬＥＤとし、２ライン目を緑色光を発光するＬＥＤとし、３ライン目を青色光を発光するＬＥＤとすることが行われている。
しかしながら、上記３種類のＬＥＤが配列された光源と、被写体との距離が短い（例えば３００ｍｍ）場合、配光バランスが良くなく、本来の白色になりにくい。
【０００４】
また、被写体の状況によっては、赤色光、緑色光、青色光を全て点灯させず、赤色光、緑色光、青色光のうちの１色又は２色を使用した方が鮮明になることがあるが、従来のＬＥＤ配列では、上記１色又は２色の光のＬＥＤを点灯した場合、被写体の中心から外れて照らすことになっていた。
【先行技術文献】
【特許文献】
【０００５】
【特許文献１】特表２００９−５３９２２９号公報
【発明の概要】
【発明が解決しようとする課題】
【０００６】
本願の目的は、３種類の発光色をそれぞれ発光する複数のＬＥＤの配列を適正化し、配光バランスが優れた光源を具現することにある。
【課題を解決するための手段】
【０００７】
本発明による光源は、３種類の発光色を発光するＬＥＤが基板上にｎ行、ｍ列（ｎ、ｍは自然数）のマトリクス状に配置され、
前記３種類の発光色のうちの第１の発光色を発光するＬＥＤは、［１＋３（ｈ−１）］列目の［１＋４（ｉ−１）］行目、［２＋３（ｈ−１）］列目の［２ｉ］行目、［３ｈ］列目の［３＋４（ｉ−１）］行目に配置され、残りの２種類の発光色のうちの１つである第２の発光色を発光するＬＥＤは、［１＋３（ｈ−１）］列目の［［３＋４（ｉ−１）］行目、［２＋３（ｈ−１）］列目の［１＋４（ｉ−１）］行目、［３ｈ］列目の［２ｉ］行目に配置され、残りの１つの発光色である第３の発光色を発光するＬＥＤは、［１＋３（ｈ−１）］列目の［２ｉ］行目、［２＋３（ｈ−１）］列目の［３＋４（ｉ−１）］行目、［３ｈ］列目の［１＋４（ｉ−１）］行目に等間隔に配置され（ｈ、ｉは自然数）、それぞれのＬＥＤは前記基板上に形成されたパターンに接続され、前記第１の発光色を発光するＬＥＤ、前記第２の発光色を発光するＬＥＤ、前記第３の発光色を発光するＬＥＤは、それぞれの駆動回路に接続される、ことを特徴とする。
【０００８】
前記ｎと前記ｍとの積は３の倍数であり、前記第１の発光色を発光するＬＥＤ、前記第２の発光色を発光するＬＥＤ、前記第３の発光色を発光するＬＥＤは同数である、ことを特徴とする。
【０００９】
前記３種類の発光色を発光させるＬＥＤのうち少なくとも１種類のＬＥＤを点灯させることにより所望の色の光が得られる、ことを特徴とする。
【００１０】
前記３種類の発光色は、赤、緑、青であることを特徴とする。
【発明の効果】
【００１１】
本発明により、３種類の発光色をそれぞれ発光する複数のＬＥＤを使用した配光バランスの優れた光源が具現できる。
【図面の簡単な説明】
【００１２】
【図１】本発明の一実施例に係るＬＥＤの配列を示す平面図である。
【図２】本発明の一実施例によるＬＥＤチップの封止樹脂が無い場合の配光特性を示す図である。
【図３】本発明の一実施例によるＬＥＤチップの封止樹脂が有る場合の配光特性を示す図である。
【発明を実施するための形態】
【００１３】
図１は、本発明の一実施例に係るＬＥＤの配列を示す平面図である。
本実施例においては、赤色光を発光するＬＥＤ（「Ｒ」で示す）、緑色光を発光するＬＥＤ（「Ｇ」で示す）、青色光を発光するＬＥＤ（「Ｇ」で示す）が基板１０上にｎ行、ｍ列（ｎ、ｍは自然数）のマトリクス状に配置される。
【００１４】
図１において、ｎは１１であり、ｍは１２であるが、これに限定されるものではない。
また、３種類の発光色を赤、緑、青として例示したが、それ以外の組合せでもよい。
【００１５】
図１において、１行目１列目には赤色光を発光するＬＥＤが配置されているが、これは例であって、これに限定されない。
すなわち、３種類の発光色のうちの第１の発光色のＬＥＤ（例えば、赤色光を発光するＬＥＤ）は、［１＋３（ｈ−１）］列目の［１＋４（ｉ−１）］行目、［２＋３（ｈ−１）］列目の［２ｉ］行目、［３ｈ］列目の［３＋４（ｉ−１）］行目に配置され、残りの２種類の発光色のうちの１つの発光色のＬＥＤ（例えば、緑色光を発光するＬＥＤ）は、［１＋３（ｈ−１）］列目の［［３＋４（ｉ−１）］行目、［２＋３（ｈ−１）］列目の［１＋４（ｉ−１）］行目、［３ｈ］列目の［２ｉ］行目に配置され、残りの１つの発光色のＬＥＤ（例えば、青色光を発光するＬＥＤ）は、［１＋３（ｈ−１）］列目の［２ｉ］行目、［２＋３（ｈ−１）］列目の［３＋４（ｉ−１）］行目、［３ｈ］列目の［１＋４（ｉ−１）］行目に等間隔に配置される。（ｈ、ｉは自然数）
【００１６】
これら３種類のＬＥＤは、基板１０上に形成されたパターン（図示せず）に接続され、赤色光を発光するＬＥＤ、緑色光を発光するＬＥＤ、青色光を発光するＬＥＤは、それぞれ赤色光を発光するＬＥＤの駆動回路（図示せず）、緑色光を発光するＬＥＤの駆動回路（図示せず）、青色光を発光するＬＥＤの駆動回路（図示せず）に接続される。
【００１７】
３種類のＬＥＤのうち少なくとも１種類のＬＥＤを点灯させることにより所望の色の光が得られる。
【００１８】
３種類のＬＥＤは、同数であることが好ましく、したがって、ｎとｍとの積は３の倍数になる。
【００１９】
図１に示した光源を試作し、光源から３００ｍｍの位置での配光バランスを確認した。
図２は、本発明の一実施例によるＬＥＤチップの封止樹脂が無い場合の配光特性を示す図であり、図３は、本発明の一実施例によるＬＥＤチップの封止樹脂が有る場合の配光特性を示す図である。この封止樹脂が有る場合が本願のＬＥＤに相当する。
図２においては、赤色光、緑色光、青色光が略重なり、
図３においても、配光バランスが良好であることが確認できる。
【００２０】
本発明によれば、赤色、緑色、青色をそれぞれ発光する複数のＬＥＤを使用した配光バランスの良好な光源が具現できる。
【符号の説明】
【００２１】
１０  基板
【図１】
2020115440.tif 000003
【図２】
2020115440.tif 000004
【図３】
2020115440.tif 000005